(57)【特許請求の範囲】
【請求項１】
磁気パッドが中に位置している複数の空洞を含むジリコン基板と、
前記ジリコン基板の前記空洞の中にそれぞれ配置された複数のジリコン・ボールと、
を含み、
前記ジリコン・ボールは、一方の半球が白い顔料を含むプラスチックで覆われ他方の半球が黒い顔料を含むプラスチックで覆われており、両半球は電気的に異方性を有し、かつ、両半球の極に黒の磁気的顔料を含むプラスチックからなる磁極片が設けられ、前記ジリコン・ボールに電場を印加して、ジリコン・ボールを選択的に回転させて表示する表示装置であって、
前記白い顔料を含むプラスチックはアルミニウムオクトエートを含み、前記白い顔料を含むプラスチックで覆われた半球側に設けられた前記磁極片を前記白い顔料を含むプラスチックで包み込んで視野から隠し、前記プラスチックはポリエチレンであることを特徴とする表示装置。
【請求項２】
磁気パッドが中に位置している複数の空洞を含むジリコン基板と、
前記ジリコン基板の前記空洞の中にそれぞれ配置された複数のジリコン・ボールと、
を含み、
前記ジリコン・ボールは、一方の半球が白い顔料を含むプラスチックで覆われ他方の半球が黒い顔料を含むプラスチックで覆われており、両半球は電気的に異方性を有し、かつ、両半球の極に黒の磁気的顔料を含むプラスチックからなる磁極片が設けられ、前記ジリコン・ボールに電場を印加して、ジリコン・ボールを選択的に回転させて表示する表示装置であって、
前記白い顔料を含むプラスチックはアルミニウムステアリン酸を含み、前記白い顔料を含むプラスチックで覆われた半球側に設けられた前記磁極片を前記白い顔料を含むプラスチックで包み込んで視野から隠し、前記プラスチックはポリエチレンであることを特徴とする表示装置。
【発明の詳細な説明】
【０００１】
【発明の属する技術分野】
本発明は、視覚的表示装置の分野に関する。特に、本発明はジリコン（ｇｙｒｉｃｏｎ）またはツイスト・ボールの表示装置において使用されるボールの製造、およびセクウェスタ（ｓｅｑｕｅｓｔｅｒ）された磁気パッドを有するジリコン・ボールの製造に関する。
【０００２】
【従来の技術】
紙は、テキストおよび画像の提示および表示のために伝統的に好まれてきた媒体である。紙は、表示媒体としての望ましいくつかの特性を有している。その特性としては、軽量で、薄く、ポータブルであり、柔軟性があり、折畳み可能であり、コントラストが高く、低コストで、比較的永久的であり、数多くの形状に容易に構成できることなどがある。紙は、その表示された画像を電気を使用せずに維持することができる。また、紙は周辺光の中で読むことができ、ペン、鉛筆、絵筆またはコンピュータのプリンタなどの任意の多くの他の手段によって書くこと、あるいはマークすることもできる。
【０００３】
都合の悪いことに、紙はリアルタイムの表示目的にはあまり適していない。コンピュータ、ビデオ、または他のソースからのリアルタイムの画像を直接に紙で表示することはできず、陰極線管（ＣＲＴ）ディスプレイまたは液晶ディスプレイ（ＬＣＤ）などの他の手段によって表示しなければならない。しかし、リアルタイムの表示媒体には、紙の望ましい特性、例えば、物理的な柔軟性および電源がない場合に表示された画像を安定に保持することなどの多くの特性がない。
【０００４】
電子ペーパーはその紙の望ましい特性をリアルタイムの表示媒体の特性と組み合わせている。普通紙と同様に、電子ペーパーは書いたり消したりすることができ、周辺光の中で読むことができ、書かれた情報を電場または他の外部保持力がない状態で保持することができる。また、普通紙のように、電子ペーパーは任意の軸に関して折り畳むか、あるいは管状の形式に巻くことができる軽量の、柔軟性のある、耐久性シートの形式に作ることができ、シャツまたはコートのポケットに入れることができ、その後、情報の損失なしで検索し、整理し直し、読み出すことができる。さらに、普通紙と違って、電子ペーパーは静止画像およびテキスト以外に完全な動画および他のリアルタイム画像を表示するために使用することができる。それ故、電子ペーパーはコンピュータ・システムの表示画面またはテレビジョンにおいて使用することができる。
【０００５】
ツイスト・ボール・ディスプレイ、回転式ボール・ディスプレイ、粒子ディスプレイ、バイポーラ粒子光バルブなどとも呼ばれるジリコンは電子ペーパーを作るための技術を提供する。ジリコンのディスプレイは変更すること、あるいはアドレスすることができるディスプレイである。ジリコン・ディスプレイは観察者に所望の面を提示するように選択的に回転させることができる複数の光学的に異方性のボールから作られている。
【０００６】
ジリコン・ボールの光学的異方性は、各ジリコン・ボールの表面を２つの部分に分割することによって提供される。各ジリコン・ボールの表面の１つの部分は第１の光反射率または色を有する。ジリコン・ボールの表面の他の部分は異なる色または異なる光反射率を有する。例えば、ジリコン・ボールは１つは黒で、他は白の２つの明確に識別できる半球を持つことができる。さらに、各半球は誘電性流体に関して明確に識別できる電気的特性を持つことができる。したがって、ジリコン・ボールは光学的以外に電気的に異方性である。黒および白のジリコン・ボールは複数の球状の空洞を含むエラストマ層などの光学的に透明な材料のシートの中に埋め込まれている。球状の各空洞には可塑剤などの透明な誘電性流体が充填されている。その流体が充填された空洞はジリコンのボールを１つの空洞あたりに１つ収容し、ボールがシートの内部で移動するのを防止する。各空洞はジリコン・ボールのサイズより僅かに大きく、各ジリコン・ボールがその空洞の内部で僅かに回転または移動することができるようになっている。
【０００７】
ジリコン・ボールは、電場を印加することによって流体が充填されたそれぞれの空洞の内部で選択的に回転させることができ、したがって、ジリコン・ボールの黒または白の半球のいずれかがそのシートの表面を見ている観察者に対して現れるようにすることができる。例えば、マトリックス・アドレッシング方式を使用して２つの方向に電場を印加することによって、ボールの黒および白の側が画像要素、例えば、表示される画像のピクセルまたはサブピクセルとして現れるようにすることができる。
【０００８】
【発明が解決しようとする課題】
しかしながら、電場のみによってジリコン・ボールのアドレッシングを適切に行うことは容易でないといった問題があった。
【０００９】
【課題を解決するための手段】
本発明のシステムおよび方法の種々の例示としての実施形態はジリコン・ディスプレイのアドレッシングに関しており、その中でジリコン・ボールの構成に対して磁性材料が追加され、磁場が通常の電気的なアドレッシングの場を増強するために使用される。
【００１０】
本発明のシステムおよび方法の種々の例示としての実施形態は、磁気パッド付きのジリコン・ボールの製造に関し、磁気パッドをさらにもう１つの静止磁気パッドの手段によって２つの異なる位置に設置することができる。これにより、自然発生のしきい値に依存するのではなく、ジリコン・ボールの回転に対する強い、工学的に計画されたしきい値を生成することができる。
【００１１】
本発明のシステムおよび方法の種々の例示としての実施形態は、セクウェスタリング、すなわち、ディスプレイの輝度を減らさないように磁気パッドを視野から隠すことに関する。
【００１２】
本発明のシステムおよび方法の種々の例示としての実施形態は、さらに、二色ボールの製造時に、その二色ボールの１つの半球の、その二色ボールの他の半球による包み込みを制御することに関する。
【００１３】
本発明のシステムおよび方法の種々の例示としての実施形態の場合には、色が暗く、ジリコン・ボールの白の側の見える部分の主要な部分に対応する磁気パッドがセクウェスタされる。
【００１４】
本発明のシステムおよび方法の種々の例示としての実施形態の場合には、ジリコン・ボールはポリエチレンのプラスチックから作られ、そのボールの白の側は内部に酸化チタンが分散されているこのプラスチックから作られ、そのボールの黒の側はチャージング・エージェントと呼ばれる化学物質以外に黒い顔料が内部に分散されているこの同じプラスチックから作られる。
【００１５】
本発明のシステムおよび方法の種々の例示としての実施形態の場合には、その磁気パッドはポリエチレンのプラスチックの中に磁気的な顔料を分散させることによって作られる。
【００１６】
本発明のシステムおよび方法の種々の例示としての実施形態の場合には、ジリコン・ボールの白の側にある磁気パッドがセクウェスタされる。
【００１７】
本発明のシステムおよび方法の種々の例示としての実施形態の場合には、ジリコン・ボールの白の側またはジリコン・ボールの黒の側のいずれかにアルミニウム・オクトエート（aluminum octoate）を追加することによって、そのボールのその側における染色されたプラスチックが、そのボールの製造プロセスの間にアルミニウム・オクトエートが追加されていないボールの部分における染色されたプラスチックを包み込むようにする。
【００１８】
本発明のシステムおよび方法の種々の例示としての実施形態の場合には、白い染色されたプラスチックにアルミニウム・オクトエートを追加することによって、そのジリコン・ボールの白の側にある磁気パッドが、そのボールの製造プロセスの間に包み込まれるようにする。
【００１９】
本発明のシステムおよび方法の種々の例示としての実施形態の場合には、二色ボールの第１の半球を作るために使用される染色されたプラスチックにアルミニウム・オクトエートを追加することによって、そのボールの第２の半球からの染色されたプラスチックが第１の半球を包み込むことになる可能性を実質的に減らし、そうしない場合には、包み込まれることになる二色ボールの製造において顔料の組合せが使用できるようにする。
【００２０】
【発明の実施の形態】
添付の図面を参照しながら、本発明の例示としての実施形態を以下に詳細に説明する。
【００２１】
本発明のシステムおよび方法の例示としての実施形態は、磁性材料がジリコン・ボールの組成に対して追加されていて、通常のアドレッシングの電場を増強するために磁場が使用されているジリコン・ディスプレイのアドレッシングに関する。
【００２２】
図１は、本発明による電子ペーパーのシート１００の１つの例示としての実施形態の断面図を示す。詳細には、図１に示すように、導電性ベース基板１３０が、電子ペーパーのシート１００のベース基板を形成する。ジリコン基板１２０が、導電性ベース基板１３０上に形成される。ジリコン基板１２０は、その基板の内部に分散配置されたジリコン・ボール２００を含む。各ジリコン・ボール２００は、２つの明確に識別できる半球２２０および２３０を有し、１つは黒、そしてもう１つは白であり、各半球２２０および２３０は電気的特性、例えば、誘電性流体に関するゼータ電位が異なり、ジリコン・ボール２００が光学的以外に電気的に異方性であるようになっている。
【００２３】
ジリコン・ボール２００は、ジリコン基板１２０を作っているエラストマ層などの光学的に透明な材料のシートの中に埋め込まれている。また、ジリコン基板１２０は複数の球状空洞１２２も含み、可塑剤などの透明な誘電液体が充填されている。液体が充填された球状空洞１２２はジリコン・ボール２００を収容する。特に、ジリコン基板１２０の中の１つの空洞１２２あたりに１つのジリコン・ボール２００がある。その球状空洞はジリコン・ボール２００がジリコン基板１２０の内部で移動するのを防止する。各ジリコン・ボール２００は電場を印加することによって液体が充填されたそれぞれの空洞１２２の内部で選択的に回転させられ、シート１００の表面を見ている観察者に対して黒の半球２３０または白の半球２２０のいずれかを示すことができる。それ故、二次元において調整することができる電場を印加することによって、ジリコン・ボール２００の黒および白の半球２３０または２２０が画像要素、すなわち、ディスプレイのサブピクセルまたはピクセルとして現れるようにさせる。
【００２４】
図１に示されているように、区分線２１０がジリコン・ボール２００を２つの別々の半球２３０および２２０に分割する。白の半球２２０は白い顔料を使用して作られる。黒の半球２３０は黒い顔料を使用して作られる。それ故、ジリコン・ボール２００はシート１００の表面に関するその向きによって変わる白または黒の面のいずれかを表示することができる。
【００２５】
２つのジリコン・ボール２００だけが図１に示されているが、ジリコン基板１２０は所望の分解能に依存して、非常に多い数のジリコン・ボール２００を含むことができることを理解されたい。さらに、ジリコン・ボール２００は２つの部分、すなわち、１つは黒の半球およびもう１つは白の半球を有しているように説明されているが、各ジリコン・ボール２００は３つ以上のセグメントを有することができ、黒および白だけでなく、２つまたはそれ以上の色が可能であることを理解されたい。
【００２６】
黒および白の各半球２３０および２２０は、電気的特性、例えば、誘電性流体に関するゼータ電位が異なり、ジリコン・ボール２００が光学的以外に電気的に異方性であるようになっている。ジリコン・ボール２００は、ジリコン基板１２０を作っているエラストマ層などの光学的に透明な材料のシートの中に埋め込まれている。
【００２７】
図２は、ジリコン基板１２０の１つの例示としての実施形態をより詳細に示す。図２に示されているように、流体が充填された球状空洞１２２の中に、透磁率の高い材料、すなわち、強磁性の性質を有するが外部磁場が取り除かれた時の残留磁気が小さい材料から作られている静止磁気パッド１２４がある。
【００２８】
ジリコン・ボール２００は、例えば、液体と接触した時、そして電場が存在している時に電位を生じる材料から作られていて、ジリコン・ボール２００の半球２３０および２２０のうちの１つが他の側とは異なる電位を生じるようになっている。図２に示されているように、ジリコン・ボール２００は空洞１２２に隣接している静止磁気パッド１２４の手段によって２つの異なる位置にジリコン・ボール２００が設置されるようにすることができる２つの磁極片２０４を含む。これによって、十分に理解されていないか、あるいは現在制御可能でないかのいずれかである自然発生のしきい値に依存するのではなく、強い、工学的に計画されたしきい値をジリコン・ボールの回転のために生成することができる。磁気パッド１２４が永久磁化されていない場合、磁極片２０４が永久磁化されていなければならない。同様に、磁極片２０４が永久磁化されていない場合、磁気パッド１２４が永久磁化されていなければならない。
【００２９】
ジリコン・ボール２００の黒の半球２３０の中の磁極片２０４が中空壁１２２の中に埋め込まれている静止磁気パッド１２４に隣接している場合、ジリコン・ボール２００を所定の位置に保持しようとする強い機械的な力がある。これはジリコン・ボール２００の磁化された部分と静止磁気パッド１２４との間の距離が非常に短いからである。この磁気的な力はジリコン・ボール２００を中空壁１２２に付着させるだけでなく、より大きな電場も必要とすることになる。その電場がない場合、ジリコン・ボール２００が空洞１２２の中で回転し始めることになる。ジリコン・ボール２００が短距離回転すると、静止磁気パッド１２４によるずっと減少した力を経験し、その運動は電場によって支配されることになる。
【００３０】
それ故、黒の半球２３０が静止磁気パッド１２４に対して隣接している向きにおいてジリコン・ボール２００をその空洞１２２の中に、その電場が最初に整列させる場合、実質的に回転を開始させるために強い電場が必要となる。ジリコン・ボール２００の黒の半球２３０の中の磁極片２０４の磁化の程度を制御することによって、ボールの回転を開始させるのに必要な電場のしきい値が受動アドレッシングの条件を満足するようにすることができる。黒の半球２３０が磁化されていない場合、静止磁気パッド１２４の磁化の程度が代わりに制御されることを理解されたい。ジリコン・ボール２００が静止磁気パッド１２４に隣接している白の半球２２０によって方向付けられている時、白の半球２２０の中の磁極片が静止磁気パッド１２４に対するその磁気吸引によって中空壁１２２に対して保持される。
【００３１】
ジリコン・ボール２００は任意の既知のプロセスを使用して製造することができることを理解されたい。例えば、ジリコン・ボール２００は、その全文を、引用によって本明細書の記載に援用する、シェリドンの、米国特許第５，７６７，８２６号の中で記述されているような複数の回転ディスク装置を使用して製造することができる。例えば、磁気テープの製造において使用されるのと同様な磁性顔料を、磁極片２０４の中で、単独で、あるいは他の顔料と組み合わせて使用することができる。これらの磁極片２０４は与えられた向きにおけるジリコン・ボール２００と一緒にそれらの製造時にディスクからの脱出時に永久磁化されるようにすることができる。
【００３２】
空洞１２２の壁の中の静止磁気パッド１２４は、磁化されたジリコン・ボール２００を高透磁率の粉末と混合することによって製造することができ、その粒子が黒の半球２３０の磁化された部分の回りに集まるようにすることができる。余分の粒子は除去され、ジリコン・ボール２００は、後で硬化されて丈夫なシリコン・エラストマになる液体樹脂と混合される。その高透磁率の粒子はここでジリコン・ボール２００の磁化された部分の近傍においてエラストマのマトリックスに統合化される。
【００３３】
本発明の種々の例示としての実施形態によれば、ジリコン・ボール２００は、例えば、シェリドンの、米国特許第５，７１７，５１４号の中で記述されているようなポリエチレンのプラスチックから作られる。白の半球２２０はこのプラスチックから作られ、その中に二酸化チタンが分散されている。黒の半球２３０はこの同じプラスチックから作られ、チャージング・エージェントと呼ばれる化学物質以外に、その中に黒の顔料が分散されている。
【００３４】
図２に示されているように、エラストマの空洞１２２の中に含まれているジリコン・ボール２００は２つの磁極片２０４と一緒に提供されている。図２に示されているように、磁気パッド１２４はこの２つの磁極片２０４を経由して２つの安定な回転位置のうちの１つにジリコン・ボール２００をラッチする。白の半球２２０の中に設置されている磁極片２０４（色が暗くてもよい）が、ジリコン・ボール２００の白の半球２２０の実質的に見える部分の範囲を定める可能性がある。これはジリコン・ディスプレイの白さおよびコントラストを大幅に減らすことになる。
【００３５】
磁極片２０４をその意図された位置から実質的に動かすことなしに、このジリコン・ボール２００の白の半球２２０の中に設置されている磁極片２０４をセクウェスタすることが望ましい。これは磁極片２０４がある量の白い顔料が含まれたプラスチックによって覆われるようにすることによって行うことができる。これは白の半球２２０の白の顔料が含まれたプラスチックが磁極片２０４の黒の磁気的顔料が含まれたプラスチックを包み込むようにすることによって行うことができる。
【００３６】
液体のビーズを作るために、例えば、シェリドンの、米国特許第５，７６７，８２６号の中で記述されているようなスピニング・ディスクを一般的に使用することができる。そしてその液体のビーズが冷えてジリコン・ボールに固まるチャンスを持つ前に、一般的に使用することができる顔料の組合せの数を増加させることがさらに望ましい。いくつかの顔料の組合せの結果、染色されたプラスチックのうちの１つがジリコン・ボールの製造プロセスの間に他の染色されたプラスチックの上に部分的に、あるいは完全に流れ込み、包み込んだ液体のビーズが作られることになることを理解されたい。
【００３７】
ジリコン・ボールの製造において使用される液体のビーズを得る際に、多くの材料のパッケージが、１つの染色されたプラスチックが別の染色されたプラスチック上に流れる傾向がある液体のビーズを作り出す。この結果、１つの色の半球が他の色の半球より大きくなるような液体のビーズを得ることができる。したがって、１つの色が他の色の下に完全に覆い隠され、１つの液体のビーズが単色のプラスチックを構成するように見えるようにすることができる。このプロセスは「包み込み」と呼ばれ、それは液体のビーズがスピニング・ディスクから形成された後、その液体のビーズが冷えて固まってジリコン・ボールになる前に発生する可能性がある。
【００３８】
包み込みは、液体のビーズが形成された後の液体のビーズにおける不安定に起因して発生する可能性があり、それは水力学不安定性を含む可能性がある。包み込みは、シリコン・ボール製造装置、および、それ故、モールドされた染色されたプラスチックを低温において操作することによって減らすことができる。液体のビーズがディスクのエッジから伸びている帯の割れ目から空気の中を移動する際、その液体のビーズは周囲の空気との熱交換によって冷える。それ故、包み込みの原因となるプロセスは、液体ボール構成部品を迅速に冷凍することによって短くなる。
【００３９】
本発明のシステムおよび方法の種々の例示としての実施形態の場合には、ジリコン・ボール２００の白の半球２２０の上の磁気パッド２０４の包み込みおよびセクウェスタリングが提供される。磁気パッド２０４は磁性顔料をポリエチレンのプラスチックの中に分散させることによって作られる。ジリコン・ボール２００の白の半球２２０またはジリコン・ボール２００の黒の半球２３０のいずれかにアルミニウム・オクトエートを追加することによって、そのジリコン・ボール２００のその側における染色されたプラスチックが、ボール製造プロセスの間にアルミニウム・オクトエートが追加されなかったジリコン・ボール２００の部分上の染色されたプラスチックを包み込もうとする。したがって、白の染色されたプラスチックにアルミニウム・オクトエートを追加することによって、図３に示されているようにジリコン・ボール２００の白の半球２２０上の磁気パッド２０４をそれが包み込むことになる。そのように包み込まれた磁気パッド２０４はジリコン・ボールの表面の下にセクウェスタされることになり、ジリコン・ディスプレイの光学的性質に及ぼす有害な効果が大幅に減少する。
【００４０】
ジリコン・ボール２００の白の半球２２０がジリコン・ボール２００の黒の半球２３０を包み込もうとするのを無効にするために、ジリコン・ボール２００の黒の半球２３０にアルミニウム・オクトエートを追加する必要があり得ることも理解されたい。この方法で、磁気パッド２０４はジリコン・ボール２００の極の近くに局所化されたままになるが、覆い隠されてあまりよく見えなくなる。
【００４１】
アルミニウム・オクトエートが第１の染色されたポリエチレン液体に追加され、その後、その液体が第２の染色されたポリエチレン液体と結合して液体のビーズを作るために使用される場合、そしてアルミニウム・オクトエートが追加されていない第１の液体が第２の液体を包み込む傾向がある場合、アルミニウム・オクトエートが第２の液体に追加されると、包み込みが発生する傾向が実質的により少なくなる。さらに多くのアルミニウム・オクトエートが追加されるにつれて、包み込みが発生する傾向がさらに少なくなる。アルミニウム・オクトエートがさらに追加されると、第２の液体が第１の液体を包み込む傾向が生じる。
【００４２】
例えば、ジリコン・ボールの白の半球に対してＰｏｌｙｗａｘ  １０００ポリエチレン（Ｂａｋｅｒ  Ｐｅｔｒｏｌｉｔｅ製）の中に分散されたＤｕＰｏｎｔ製の２０％  Ｒ１０４二酸化チタンを使用し、ジリコン・ボールの黒の半球に対してＰｏｌｙｗａｘ  １０００の中に分散された２．５％のＣｏｌｕｍｂｉａｎＣｈｅｍｉｃａｌｓ  ＃７００６カーボンブラックおよび１％の５１７５（Ｂａｋｅｒ  Ｐｅｔｒｏｌｉｔｅ  Ｃｏｕｐ製のアセテート・エステル）使用して作られたジリコン・ボールは、白の染色されたプラスチックによるジリコン・ボールの黒の半球の厳しい包み込みを生じる可能性がある。１つの例示としての実施形態の場合には、０．２％のアルミニウム・オクトエートをジリコン・ボールの黒の半球に追加することによって、白の包み込みを減らすか、あるいは無くすことができる。ジリコン・ボールの黒の半球に追加されるアルミニウム・オクトエートの量を１％まで増やすことによって、黒の染色されたプラスチックによるボールの白の側の厳しい包み込みを生じる可能性がある。したがって、アルミニウム・オクトエートの追加は説明されている包み込みを実質的に制御することができる。
【００４４】
上記例示としての実施形態の場合には、アルミニウム・オクトエートが議論されているが、包み込みに対して影響する他の化学物質も使用することができることを理解されたい。そのような化学物質としては、アルミニウム・ステアリン酸塩があるが、それに限定されるものではない。
【００４５】
上記例示としての実施形態の場合には、アルミニウム・オクトエートが包み込みの化学的制御を提供するために適用されている。それ故、ジリコン・ボールの製造時に１つの液体が別の液体によって包み込まれるのを少なくとも部分的に制御する方法が得られている。
【００４６】
上記例示としての実施形態の場合には、ジリコン・ボールが記述されているが、本発明はジリコン・ボールに限定されるものではないことを理解されたい。すなわち、その方法および装置は上記のようなジリコン・ボール、二色ボール、および光学的に透明のボールなどと一般的に呼ばれる他のジリコン・ボールを含むことができる。光学的に透明のボールは、例えば、シェリドンの、米国特許第５，７３９，８０１号の中で記述されている。
【００４７】
本発明は、ジリコン・ディスプレイに関連して記述されてきた。しかし、本発明が示す原理は、ある種の液晶ディスプレイおよび起電表示などの多くの他のインピーダンス・ディスプレイに対しても等しく十分に適用することができる。
【図面の簡単な説明】
【図１】  本発明の電子ペーパーの１つの例示としての実施形態の断面図である。
【図２】  図１のジリコン基板の１つの例示としての実施形態をより詳細に示す図である。
【図３】  セクウェスタされるジリコン・ボールを有するジリコン基板の１つの例示としての実施形態をより詳細に示す図である。
【符号の説明】
１２０  ジリコン基板、１２４  磁気パッド、２００  ジリコン・ボール、２０４  磁極片。
【図１】
0004081268.tif 000002
【図２】
0004081268.tif 000003
【図３】
0004081268.tif 000004